【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
ａ）重合体組成物および重合体安定化量の安定剤組成物で金型を充填する工程、ここで安定剤組成物は、式Ｖ
【化１】
2014501642.tif 000001
［式中、
Ｒ21は、式Ｖの芳香族部分の０〜４位における同一のまたは異なる置換基であり、そして
Ｃ1−Ｃ12ヒドロカルビル、
ＮＲ’Ｒ”、ここでＲ’とＲ”はそれぞれ独立にＨ1またはＣ1−Ｃ12ヒドロカルビルから選択される、または
ＯＲ27、ここでＲ27はＨ、Ｃ1−Ｃ12ヒドロカルビル、ＣＯＲ'”またはＳｉ（Ｒ28）3から選択され、そのＲ'”はＨまたはＣ1−Ｃ20ヒドロカルビルから
選択され、またそのＲ28はＣ1−Ｃ12ヒドロカルビルまたはアルコキシから選択される、：
から独立に選択され、
Ｒ22はＨまたはＣ1−Ｃ12ヒドロカルビルから選択され、
Ｒ23はＨまたはＣ1−Ｃ20ヒドロカルビルから選択され、そして
Ｒ24−Ｒ25はそれぞれ独立にＨ、Ｃ1−Ｃ12ヒドロカルビルまたはＯＲ””、ここでＲ””はＨまたはＣ1−Ｃ12ヒドロカルビルから選択される、から選択され、そして
Ｒ26はＨまたは、Ｒ25と一緒になって＝Ｏを形成する一結合であるが、ただし、Ｒ27がＨの場合は安定剤組成物はエトキシル化アミドおよび／またはエトキシル化アミン帯電防止剤を含まないこととする、である］
に従う、少なくとも一つのクロマンに基づく化合物を含んでなる、
ｂ）十分な温度のオーブン内で金型を加熱して重合体組成物を溶解して、それを金型の壁に塗布しながら、少なくとも１本の軸の周囲に金型を回転する工程、
ｃ）金型を冷却する工程、および
ｄ）金型を開いて、生成された製品を取出し、それにより重合体の中空品を製造する工程：
を含んでなる、重合体の中空品を製造する方法。
【請求項２】
安定剤組成物が更に、有機ホスファイトまたはホスホナイトの群から選択される少なくとも一つの化合物を含んでなる、請求項１に従う方法。
【請求項３】
少なくとも一つの有機ホスファイトまたはホスホナイトが、式１〜７：
【化２】
2014501642.tif 000002
［式中、
添字は整数であり、また
ｎは２、３または４であり、ｐは１または２であり、ｑは２または３であり、ｒは４〜１２であり、ｙは１、２または３であり、そしてｚは１〜６であり、
Ａ1は、ｎが２である時はＣ2−Ｃ18アルキレン；酸素、硫黄または―ＮＲ4―により割り込まれたＣ2−Ｃ12アルキレン；式
【化３】
2014501642.tif 000003
のラジカルまたはフェニレンであり、
Ａ1は、ｎが３である時は式―ＣrＨ2r-1―のラジカルであり、
Ａ1は、ｎが４である時は
【化４】
2014501642.tif 000004
であり、
Ａ2は、ｎが２である時のＡ1に対して定義された通りであり、
Ｂは、直接結合、―ＣＨ2―、―ＣＨＲ4―、―ＣＲ1Ｒ4―、硫黄、Ｃ5−Ｃ7シクロアルキリデン、あるいは、３、４および／または５位において１〜４個のＣ1−Ｃ4アルキル基により置換されたシクロヘキシリデンであり、
Ｄ1は、ｐが１である時はＣ1−Ｃ4アルキルであり、またｐが２である時は―ＣＨ2ＯＣＨ2―であり、
Ｄ2は、ｐが１である時はＣ1−Ｃ4アルキルであり、
Ｅは、ｙが１である時はＣ1−Ｃ18アルキル、―ＯＲ1またはハロゲンであり、
Ｅは、ｙが２である時は―Ｏ―Ａ2―Ｏ―であり、
Ｅは、ｙが３である時は式Ｒ4Ｃ（ＣＨ2Ｏ―）3またはＮ（ＣＨ2ＣＨ2Ｏ―）3のラジカルであり、
Ｑは、少なくともｚ−価のアルコールまたはフェノールのラジカルであり、ここでこのラジカルは酸素原子を介してリン原子に結合されている、
Ｒ1、Ｒ2およびＲ3は相互に独立に、未置換の、または、ハロゲン、―ＣＯＯＲ4、―ＣＮもしくは―ＣＯＮＲ4Ｒ4により置換されたＣ1−Ｃ18アルキル；酸素、硫黄もしくは−ＮＲ4―により割り込まれたＣ2−Ｃ18アルキル；Ｃ7−Ｃ9フェニルアルキル；Ｃ5−Ｃ12シクロアルキル、フェニルまたはナフチル；ハロゲン、合計１〜１８個の炭素原子をもつ１〜３個のアルキル基またはアルコキシ基により、あるいはＣ7−Ｃ9フェニルアルキルにより置換されたナフチルまたはフェニル；あるいは、式
【化５】
2014501642.tif 000005
［式中、ｍは３〜６の範囲の整数である］
のラジカルであり、
Ｒ4は水素、Ｃ1−Ｃ8アルキル、Ｃ5−Ｃ12シクロアルキルまたはＣ7−Ｃ9フェニルアルキルであり、
Ｒ5およびＲ6は相互に独立に、水素、Ｃ1−Ｃ8アルキルまたはＣ5−Ｃ6シクロアルキルであり、
Ｒ7およびＲ8は、ｑが２である時は相互に独立に、Ｃ1−Ｃ4アルキルまたは、一緒になって２，３−デヒドロペンタメチレン基であり、そして
Ｒ7およびＲ8は、ｑが３である時はメチルであり、
Ｒ14は、水素、Ｃ1−Ｃ9アルキルまたはシクロヘキシルであり、
Ｒ15は、水素またはメチルであり、また２種以上の基Ｒ14およびＲ15が存在する時は、これらの基は同一であるかまたは異なり、
ＸおよびＹはそれぞれ直接結合または酸素であり、
Ｚは直接結合、メチレン、―Ｃ（Ｒ16）2―または硫黄であり、そして
Ｒ16はＣ1−Ｃ8アルキルである］
に従う化合物；
式８：
【化６】
2014501642.tif 000006
［式中、Ｒ17は、式８の芳香族部分の０〜５位における同一のまたは異なる置換基であり、また独立にＣ1−Ｃ20アルキル、Ｃ3−Ｃ20シクロアルキル、Ｃ4−Ｃ20アルキルシクロアルキル、Ｃ6−Ｃ10アリールおよびＣ7−Ｃ20アルキルアリールおよびそれらの組み合わせ物から選択される］
に従うトリスアリールホスファイト：
から選択される、請求項２に従う方法。
【請求項４】
有機ホスファイトまたはホスホナイトが、トリフェニルホスファイト、ジフェニルアルキルホスファイト、フェニルジアルキルホスファイト、トリラウリルホスファイト、トリオクタデシルホスファイト、ジステアリルペンタエリスリトールホスファイト、トリス（２，４−ジ−ｔｅｒｔ−ブチルフェニル）ホスファイト、トリス（ノニルフェニル）ホスファイト、式（Ａ）、（Ｂ）、（Ｃ）、（Ｄ）、（Ｅ）、（Ｆ）、（Ｇ）、（Ｈ）、（Ｊ）、（Ｋ）および（Ｌ）：
【化７】
2014501642.tif 000007
【化８】
2014501642.tif 000008
【化９】
2014501642.tif 000009
の化合物、２−ブチル−２−エチル−１，３−プロパンジオール２，４，６−トリ−ｔ−ブチルフェノールホスファイト、ビス−（２，６−ジ−ｔ−ブチル−４−メチルフェニル）ペンタエリスリトールジホスファイト、２−ブチル−２−エチル−１，３−プロパンジオール２，４−ジ−クミルフェノールホスファイト、２−ブチル−２−エチル−１，３−プロパンジオール４−メチル−２，６−ジ−ｔ−ブチルフェノールホスファイト、ビス−（２，４，６−トリ−ｔ−ブチルフェニル）ペンタエリスリトールジホスファイトおよびそれらの組み合わせ物からなる群から選択される、請求項３に従う方法。
【請求項５】
少なくとも一つの有機ホスファイトまたはホスホナイトが、トリス（２，４−ジ−ｔｅｒｔ−ブチルフェニル）ホスファイト（ＩＲＧＡＦＯＳ（登録商標）  １６８）、ビス（２，４−ジクミルフェニル）ペンタエリスリトールジホスファイト（ＤＯＶＥＲＰＨＯＳ（登録商標）  Ｓ９２２８）およびテトラキス（２，４−ジ−ｔｅｒｔ−ブチルフェニル）４，４’−ビフェニレン−ジホスホナイト（ＩＲＧＡＦＯＳ（登録商標）  Ｐ−ＥＰＱ）からなる群から選択される、請求項２に従う方法。
【請求項６】
安定剤組成物が更に少なくとも一つのヒンダード・フェノール化合物を含んでなる、請求項１〜５のいずれか１項に従う方法。
【請求項７】
少なくとも一つのヒンダード・フェノール化合物が、１つ以上の式（ＩＶａ）、（ＩＶｂ）または（ＩＶｃ）：
【化１０】
2014501642.tif 000010
［式中、
Ｒ18は水素またはＣ1-4ヒドロカルビルから選択され、
Ｒ19およびＲ20はそれぞれ独立に、水素またはＣ1−Ｃ20ヒドロカルビルから選択され、そして
Ｒ37はＣ1−Ｃ12ヒドロカルビルから選択される］
に従う分子フラグメントを含んでなる、請求項６に従う方法。
【請求項８】
Ｒ18およびＲ37がメチルまたはｔ−ブチルから選択される、請求項７に従う方法。
【請求項９】
少なくとも一つのヒンダード・フェノール化合物が、（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，１，３−トリス（２’−メチルｌ−４’−ヒドロキシ−５’−ｔ−ブチルフェニル）ブタン、トリエチレングリコールビス［３−（３−ｔ−ブチルｌ−４−ヒドロキシ−５−メチルフェニル）プロピオネート］、４，４’−チオビス（２−ｔ−ブチル−５−メチルフェノール）、２，２’−チオジエチレンビス［３−（３−ｔ−ブチル−４−ヒドロキシル−５−メチルフェニル）プロピオネート］、オクタデシル３−（３’−ｔ−ブチル−４’−ヒドロキシ−５’−メチルフェニル）プロピオネート、テトラキスメチレン（３−ｔ−ブチル−４−ヒドロキシ−５−メチルヒドロシンナメート）メタン、Ｎ，Ｎ’−ヘキサメチレンビス［３−（３−ｔ−ブチル−４−ヒドロキシ−５−メチルフェニル）プロピオンアミド］、ジ（４−ｔｅｒｔ−ブチル−３−ヒドロキシ−２，６−ジメチルベンジル）チオジプロピオネートおよびオクタデシル３，５−ジ−（ｔｅｒｔ）−ブチル−４−ヒドロキシヒドロシンナメート：からなる群から選択される、請求項６に従う方法。
【請求項１０】
少なくとも１のＲ21がＯＲ27として存在する、請求項１に従う方法。
【請求項１１】
少なくとも３のＲ21が存在し、またＯＲ27またはメチルから選択される、請求項１０に従う方法。
【請求項１２】
Ｒ23がＣ1−Ｃ18ヒドロカルビルである、請求項１０に従う方法。
【請求項１３】
式Ｖに従う、クロマンに基づく化合物がトコフェロールである、請求項１に従う方法。
【請求項１４】
クロマンに基づく化合物が、式Ｖａ
【化１１】
2014501642.tif 000011
［式中、Ｒ21はＯＨまたは-ＯＣ（Ｏ）ＣＨ3からそれぞれ選択される］
に従うビタミンＥまたはその酢酸塩である、請求項１に従う方法。
【請求項１５】
クロマンに基づく化合物が、式Ｖに従う化合物の混合物である、請求項１に従う方法。
【請求項１６】
クロマンに基づく化合物が、安定剤組成物の総重量の０．００１〜５．０重量％存在する、請求項１に従う方法。
【請求項１７】
クロマンに基づく化合物が安定剤組成物の総重量の０．０１〜１．０重量％存在する、請求項１６に従う方法。
【請求項１８】
重合体組成物が、ｉ）  ポリプロピレン、ポリイソブチレン、ポリブト−１−エン、ポリ−４−メチルペント−１−エン、ポリイソプレンおよびポリブタジエンから選択されるモノオレフィンとジオレフィンの重合体、ｉｉ）  シクロペンテンおよびノルボルネンから選択されるシクロオレフィンの重合体、ｉｉｉ）  場合により架橋されたポリエチレン、高密度ポリエチレン（ＨＤＰＥ）、高密度、高分子ポリエチレン（ＨＤＰＥ−ＨＭＷ）、高密度、超高分子ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、極低密度ポリエチレン（ＶＬＤＰＥ）および超低密度ポリエチレン（ＵＬＤＰＥ）から選択されるポリエチレン、ｉｖ）  それらの共重合体、並びにｖ）  それらの混合物：からなる群から選択されるポリオレフィンを含んでなる、請求項１に従う方法。
【請求項１９】
重合体組成物が更に、可視光線および／または紫外線の劣化効果に対して重合体組成物を安定化するために有効な量の、ヒンダード・アミンの光安定剤、ヒンダード・ヒドロキシル安息香酸、ニッケルフェノラート、紫外線安定剤、およびそれらの組み合わせ物：からなる群から選択される光安定剤を含んでなる、請求項１に従う方法。
【請求項２０】
光安定剤が、式（ＶＩ）：
【化１２】
2014501642.tif 000012
［式中、
Ｒ31は水素、ＯＨ、Ｃ1−Ｃ20ヒドロカルビル、−ＣＨ2ＣＮ、Ｃ1−Ｃ12アシルまたはＣ1−Ｃ18アルコキシ：から選択され、
Ｒ38は水素またはＣ1−Ｃ8ヒドロカルビルから選択され、そして
Ｒ29、Ｒ30、Ｒ32およびＲ33はそれぞれ独立にＣ1−Ｃ20ヒドロカルビルから選択されるか、あるいはＲ29とＲ30および／またはＲ32とＲ33が、それらが結合された炭素と一緒になってＣ5−Ｃ10シクロアルキルを形成する］；あるいは
式（ＶＩａ）
【化１３】
2014501642.tif 000013
［式中、
ｍは１〜２の整数であり、
Ｒ39は水素、ＯＨ、Ｃ1−Ｃ20ヒドロカルビル、−ＣＨ2ＣＮ、Ｃ1−Ｃ12アシルまたはＣ1−Ｃ18アルコキシ：から選択され、そして
Ｇ1−Ｇ4はそれぞれ独立にＣ1−Ｃ20ヒドロカルビルから選択される］
に従う分子フラグメントを含んでなるヒンダード・アミン光安定剤化合物である、請求項１９に従う方法。
【請求項２１】
ヒンダード・アミンの光安定剤が、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル−４−ヒドロキシベンジルマロネート；１−（２−ヒドロキシエチル）−２，２，６，６−テトラメチル−４−ヒドロキシピペリジンと琥珀酸の縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンと４−モルホリノ−２，６−ジクロロ−１，３，５−ｔトリアジンの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンと１，２−ビス−（３−アミノプロピルアミノ）エタンの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−と４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；２−ウンデシル−７，７，９，９−テトラメチル−１−オキサ−３，８−ジアザ−４−オキソスピロ［４．５］デカン；オキソ−ピペラジニル−トリアジン；７，７，９，９−テトラメチル−２−シクロウンデシル−１−オキサ−３，８−ジアザ−４−オキソスピロ［４．５］デカンとエピクロロヒドリンの反応生成物；テトラキス（２，２，６，６−テトラメチル−４−ピペリジル）ブタン−１，２，３，４−テトラカルボキシレート；１，２，３，４−ブタンテトラカルボン酸，テトラキス（１，２，２，６，６−ペンタメチル−４−ピペリジニル）エステル；１，２，３，４−ブタンテトラカルボン酸，１，２，２，６，６−ペンタメチル−４−ピペリジニルトリデシルエステル；１，２，３，４−ブタンテトラカルボン酸，２，２，６，６−テトラメチル−４−ピペリジニルトリデシルエステル；１，２，３，４−ブタンテトラカルボン酸と２，２，６，６−テトラメチル−２，４，８，１０−テトラオキサスピロ［５．５］−ウンデカン−３，９−ジエタノール重合体の１，２，２，６，６−ペンタメチル−４−ピペリジニルエステル；１，２，３，４−ブタンテトラカルボン酸，２，２，６，６−テトラメチル−２，４，８，１０−テトラオキサスピロ［５．５］−ウンデカン−３，９−ジエタノール，２，２，６，６−テトラメチル−４−ピペリジニルエステルとの重合体；ビス（１−ウンデカンオキシ−２，２，６，６−テトラメチルピペリジン−４−イル）カーボネート；１−（２−ヒドロキシ−２−メチルプロポキシ）−２，２，６，６−テトラメチル−４−ピペリジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペルジノール；１−（２−ヒドロキシエチル）−２，２，６，６−テトラメチル−４−ピペルジノールとジメチルスクシネートの反応生成物；２，２，４，４−テトラメチル−７−オキサ−３，２０−ジアザジスピロ［５．１．１１．２］ヘンエイコサン−２１−オン；２，２，６，６−テトラメチル−４−ピペルジノールの高級脂肪酸とのエステル；３−ドデシル−１−（２，２，６，６−テトラメチル−４−ピペリジル）ピロリジン−２，５−ジオン；１Ｈ−ピロール−２，５−ジオン，１−オクタデシル，（１−メチルエテニル）ベンゼンおよび１−（２，２，６，６−テトラメチル−４−ピペリジニル）−１Ｈ−ピロール−２，５−ジオンとの重合体；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンとエピクロロヒドリンの反応生成物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンの縮合物；１，２−ビス（３−アミノプロピルアミノ）エタン，２，４，６−トリクロロ−１，３，５−トリアジンおよび４−ブチルアミノ−２，２，６，６−テトラメチルピペリジンの縮合物；Ｎ，Ｎ’−ビス（２，２，６，６−テトラメチルピペリジン−４−イル）ヘキサメチレンジアミンと４−モルホリノ−２，６−ジクロロ−１，３，５−トリアジンの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物；２−クロロ−４，６−ビス（４−ｎ−ブチルアミノ−１，２，２，６，６−ペンタメチルピペリジル）−１，３，５−トリアジンと１，２−ビス−（３−アミノプロピルアミノ）エタンの縮合物；２−［（２−ヒドロキシエチル）アミノ］−４，６−ビス［Ｎ−（１−シクロヘキシルオキシ−２，２，６，６−テトラメチルピペリジン−４−イル）ブチルアミノ−１，３，５−トリアジン；プロパンジオン酸，［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸，３，５−ビス（１，１−ジメチルエチル）−４−ヒドロキシ−，１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン−３，３−ジカルボン酸，ビス（１，２，２，６，６−ペンタメチル−４−ピペリジニル）；１，５−ジオキサスピロ｛５，５｝ウンデカン−３，３−ジカルボン酸，ビス（２，２，６，６−テトラメチル−４−ピペリジニル）；１−（２−ヒドロキシエチル）−２，２，６，６−テトラメチル−４−ヒドロキシピペリジンと琥珀酸の縮合物；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンの縮合物；１，２，３，４−ブタンテトラカルボン酸，１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸，２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルと２，２，４，４−テトラメチル−２１−オキソ−７−オキサ−３．２０−ジアザスピロ（５．１．１１．２）−ヘンエイコサン−２０−プロパン酸−テトラデシルエステルの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；メチルメタクリレートのエチルアクリレートおよび２，２，６，６−テトラメチルピペリジン−４−イルアクリレートとの共重合体；混合Ｃ20〜Ｃ24アルファ−オレフィンと（２，２，６，６−テトラメチルピペリジン−４−イル）スクシンイミドの共重合体；１，２，３，４−ブタンテトラカルボン酸とβ，β，β’，β’−テトラメチル−２，４，８，１０−テトラオキサスピロ［５．５］ウンデカン−３，９−ジエタノールの重合体の１，２，２，６，６−ペンタメチル−４−ピペリジニルエステル；１，２，３，４−ブタンテトラカルボン酸とβ，β，β’，β’−テトラメチル−２，４，８，１０−テトラオキサスピロ［５．５］ウンデカン−３，９−ジエタノールの重合体の２，２，６，６−テトラメチル−４−ピペリジニルエステルの共重合体；１，３−ベンゼンジカルボキサミド，Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド，Ｎ−（１−アセチル−２，２，６，６−テトラメチルピペリジニル）−Ｎ’−ドデシル
；ホルムアミド，Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；７−オキサ−３，２０−ジアザジスピロ［５．１．１１．２］ヘンエイコサン−２０−プロパン酸，２，２，４，４−テトラメチル−２１−オキソ−，ドデシルエステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル−４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，���−テトラメチル１−オキサ−３，８−ジアザ−４−オキソスピロ［４．５］デカン；１，５−ジオキサスピロ｛５，５｝ウンデカン−３，３−ジカルボン酸，ビス（２，２，６，６−テトラメチル−４−ピペリジニル）と１，５−ジオキサスピロ｛５，５｝ウンデカン−３，３−ジカルボン酸，ビス（１，２，２，６，６−ペンタメチル−４−ピペリジニル）；Ｎ1−（β−ヒドロキシエチル）３，３−ペンタメチレン−５，５−ジメチルピペラジン−２−オン；Ｎ1−ｔｅｒｔ−オクチル−３，３，５，５−テトラメチル−ジアゼピン−２−オン；Ｎ1−ｔｅｒｔ−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２−オン；トランス−１，２−シクロヘキサン−ビス−（Ｎ1−５，５−ジメチル−３，３−ペンタメチレン−２−ピペラジノン；トランス−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラメチレン−２−ピペラジノン；Ｎ1−イソプロピル−５，５−ジメチル−３，３−ペンタメチレン−２−ピペラジノン；トランス−１，２−シクロヘキサン−ビス−Ｎ1−（ジメチル−３，３−ペンタメチレン−２−ピペラジノン）；Ｎ1−オクチル−５，５−ジメチル−３，３−ペンタメチレン−１，４−ジアゼピン−２−オン並びにＮ1−オクチル−１，４−ジアザジスピロ−（３，３，５，５）ペンタメチレン−１，５−ジアゼピン−２−オン：からなる群から選択される、請求項１９に従う方法。
【請求項２２】
光安定剤が２−ヒドロキシベンゾフェノン化合物、２−（２’−ヒドロキシフェニル）ベンゾトリアゾール化合物、２−（２’−ヒドロキシフェニル）−１，３，５−トリアジン化合物およびそれらの組み合わせ物からなる群から選択される紫外線吸収剤である、請求項１９に従う方法。
【請求項２３】
紫外線吸収剤が、式（ＶＩＩ）：
【化１４】
2014501642.tif 000014
［式中、Ｒ34およびＲ35はそれぞれ独立に、場合により置換されたＣ6−Ｃ10アリール、Ｃ1−Ｃ10ヒドロカルビル置換アミノ、Ｃ1−Ｃ10アシルまたはＣ1−Ｃ10アルコキシルから選択され、そしてＲ36は式ＶＩＩのフェノキシ部分の０〜４位における同一のまたは異なる置換基であり、また、独立に、ヒドロキシル、Ｃ1−Ｃ12ヒドロカルビル、Ｃ1−Ｃ12アルコキシル、Ｃ1−Ｃ12アルコキシエステルまたはＣ1−Ｃ12アシルから選択される］
に従う２−（２’−ヒドロキシフェニル）−１，３，５−トリアジン化合物である、請求項２２に従う方法。
【請求項２４】
２−（２’−ヒドロキシフェニル）−１，３，５−トリアジン化合物が、４，６−ビス−（２，４−ジメチルフェニル）−２−（２−ヒドロキシ−４−オクチルオキシフェニル）−ｓ−トリアジン、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシ−エトキシ）フェニル］−６−（４−クロロフェニル）−ｓ−トリアジン、２，４−ビス［２−ヒドロキシ−４−（２−ヒドロキシ−４−（２−ヒドロキシ−エトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−［２−ヒドロキシ−４−［（オクチルオキシカルボニル）エチリデンオキシ］フェニル］−ｓ−トリアジン、２，４−ビス（４−ビフェニリル）−６−［２−ヒドロキシ−４−（２−エチルヘキシルオキシ）フェニル］−ｓ−トリアジン、２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン、２，４−ビス（２，４−ジメチルフェニル）−６−［２−ヒドロキシ−４（−３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン、メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、５：４：１の比率で３：５’、５：５’および３：３’位で架橋されたメチレン架橋二量体混合物、２，４，６−トリス（２−ヒドロキシ−４−イソオクチルオキシカルボニルイソ−プロピリデンオキシ−フェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−ｓｅｃ−ブチルオキシ−２−ヒドロキシプロピルオキシ）−フェニル］−ｓ−トリアジン、４，６−ビス−（２，４−ジメチルフェニル）−２−（２−ヒドロキシ−４−（３−ドデシルオ��シ−２−ヒドロキシプロポキシ）フェニル）−ｓ−トリアジンと４，６−ビス−（２，４−ジメチルフェニル）−２−（２−ヒドロキシ−４−（３−トリデシルオキシ−２−ヒドロキシプロポキシ）フェニル）−ｓ−トリアジンの混合物、４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン、４，６−ジフェニル−２−（４−ヘキシルオキシ−２−ヒドロキシフェニル）−ｓトリアジン、２−（４，６−ジフェニル−１，３，５−トリアジン−２−イル）−５−［２−（２−エチルヘキサノイルオキシ）エトキシ］フェノール、２，４，６−トリス（２−ヒドロキシ−４−オクチルオキシフェニル）−１，３，５−トリアジン、プロパン酸，２，２’，２’’−［１，３，５−トリアジン−２，４，６−トリイルトリス［（３−ヒドロキシ−４，１−フェニレン）オキシ］］トリス−１，１’，１’’-トリオクチルエステル、プロパン酸，２−［４−［４，６−ビス（［１，１’−ビフェニル］−４−イル）−１，３，５−トリアジン−２イル］−３−ヒドロキシフェノキシル］−イソオクチルエステルおよびそれらの組み合わせ物：からなる群から選択される、請求項２２に従う方法。
【請求項２５】
光安定剤がヒンダード・アミン光安定剤および紫外線吸収剤である、請求項１９に従う方法。
【請求項２６】
重合体組成物が更に、式ＶＩＩＩ：
【化１５】
2014501642.tif 000015
［式中、
Ｔ1は、場合により置換されたＣ1−Ｃ36ヒドロカルビル、Ｃ5−Ｃ12シクロアルキルおよびＣ7−Ｃ9アラルキルから選択され、そして
Ｔ2は水素またはＴ1から選択される］
に従う、ヒドロキシルアミン化合物；並びに
式ＩＸ：
【化１６】
2014501642.tif 000016
［式中、
Ｗ1およびＷ2はそれぞれ独立に、直鎖または分枝鎖のＣ6−Ｃ36アルキル、Ｃ6−Ｃ12アリール、Ｃ7−Ｃ36アラルキル、Ｃ7−Ｃ36アルカリール、Ｃ5−Ｃ36シクロアルキル、Ｃ6−Ｃ36アルクシクロアルキルから選択されるＣ6−Ｃ36ヒドロカルビル、またはＣ6−Ｃ36シクロアルキルアルキルから選択され、
Ｗ3は直鎖または分枝鎖のＣ1−Ｃ36アルキル、Ｃ6−Ｃ12アリール、Ｃ7−Ｃ36アラルキル、Ｃ7−Ｃ36アルカリール、Ｃ5−Ｃ36シクロアルキル、Ｃ6−Ｃ36アルクシクロアルキルから選択されるＣ1−Ｃ36ヒドロカルビル、またはＣ6−Ｃ36シクロアルキルアルキルから選択され、
ただし、Ｗ1、Ｗ2およびＷ3の少なくとも一つはβ炭素−水素結合を含むこととし、また
前記アルキル、アラルキル、アルカリール、シクロアルキル、アルクシクロアルキルおよびシクロアルキルアルキル基は、１〜１６個の―Ｏ―、―Ｓ―、―ＳＯ―、―ＳＯ2―、―ＣＯＯ―、―ＯＣＯ―、―ＣＯ―、―ＮＷ4―、―ＣＯＮＷ4―および―ＮＷ4ＣＯ―基により割り込まれてもよく、
あるいは前記アルキル、アラルキル、アルカリール、シクロアルキル、アルクシクロアルキルおよびシクロアルキルアリル基は、―ＯＷ4、―ＳＷ4、―ＣＯＯＷ4、―ＯＣＯＷ4、―ＣＯＷ4、―Ｎ（Ｗ4）2、―ＣＯＮ（Ｗ4）2、―ＮＷ4ＣＯＷ4並びに、―Ｃ（ＣＨ3）（ＣＨ2Ｒx）ＮＬ（ＣＨ2Ｒx）（ＣＨ3）Ｃ―基を含む５−および６−員環、から選択される１〜１６個の基、により置換されてもよく、あるいは前記アルキル、アラルキル、アルカリール、シクロアルキル、アルクシクロアルキルおよびシクロアルキルアルキル基は、前記の基により割り込み、かつ置換され、そして
Ｗ4は水素またはＣ1−Ｃ8アルキルから選択され、
Ｒxは水素またはメチルから選択され、そして
ＬはＣ1−Ｃ30アルキル、−Ｃ（Ｏ）Ｒ部分、ここでＲはＣ1−Ｃ30直鎖または分枝鎖のアルキル基である、または−ＯＲ部分、ここでＲはＣ1−Ｃ30直鎖または分枝鎖アルキル基である、から選択され、そして
前記アリール基は１〜３個のハロゲン、Ｃ1−Ｃ8アルキル、Ｃ1−Ｃ8アルコキシまたはそれらの組み合わせ物により置換されてもよい］
に従う第三級アミン・オキシド化合物：
からなる群から選択される少なくとも一つの化合物を含んでなる、請求項１に従う方法。
【請求項２７】
式ＶＩＩＩに従う化合物が、そのＴ1およびＴ2が独立にベンジル、エチル、オクチル、ラウリル、ドデシル、テトラデシル、ヘキサデシル、ヘプタデシルおよびオクタデシルから選択されるかまたは、そのＴ1およびＴ2がそれぞれ、水素化獣脂アミン中に認められるアルキル混合物であるＮ，Ｎ−ジヒドロカルビルヒドロキシルアミンである、請求項２６に従う方法。
【請求項２８】
式ＶＩＩＩに従う化合物が、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミンおよびＮ，Ｎ−ジ（水素化獣脂）ヒドロキシルアミン：からなる群から選択されるＮ，Ｎ−ジヒドロカルビルヒドロキシルアミンである、請求項２６に従う方法。
【請求項２９】
重合体組成物が更に、共添加剤、核生成剤、充填剤、強化剤、重合体添加剤およびそれらの組み合わせ物からなる群から選択される少なくとも１つの化合物を含んでなる、請求項１に従う方法。
【請求項３０】
安定剤組成物が、重合体組成物の総重量の０．００１〜６５．０重量％存在する、請求項１〜２９のいずれか１項に従う方法。
【請求項３１】
安定剤組成物が、重合体組成物の総重量の０．０１〜２５重量％存在する、請求項３０に従う方法。
【請求項３２】
安定剤組成物が、重合体組成物の総重量の０．０１〜１０重量％存在する、請求項３１に従う方法。
【請求項３３】
重合体組成物が、より長期間にわたり安定に留まり、また、その最適な機械的および／または物理的特性を保持することを更に特徴とする、請求項１に従う方法。